(57)【要約】【課題】打掛錠を、レバー受けの取付高さ位置の調整作業の必要なく簡単に設置する。【解決手段】打掛錠Ｒにおいて、レバー受けＢは、レバーベース２０に取付板部６０の円板部分６０ａを重ね合わせた状態で錠本体Ａに連結し、ロックレバー１０の錠杆１５が施錠位置にあるときにレバー係止部６５のゴムキャップ６８に係止する高さ位置において、ロックレバー１０と一緒に同じ開き扉Ｄの戸先側端部の内側板面ｄ１に取り付ける。【選択図】          図１
2014181468.tif 000002
【特許請求の範囲】
【請求項１】
回動式扉又は扉枠の内側に固定するレバーベースにロックレバーを回転自在に連結し、該ロックレバーを、扉枠との間を跨いで回動式扉の開閉をロックする施錠位置又は開閉を許す解錠位置に回転し、レバー受けに対し係脱して回動式扉を施解錠する打掛錠において、
前記レバー受けを、前記ロックレバーが施錠位置にあるときに係止する高さ位置において、該ロックレバーと一緒に同じ回動式扉又は扉枠に取り付けてなることを特徴とする、打掛錠。
【請求項２】
前記レバー受けは、前記レバーベースに重ね合わせた位置で一体に又は別体に形成し回動式扉又は扉枠に固定する取付板部と、該取付板部から突設し前記ロックレバーが施錠位置にあるときに係止するレバー係止部とからなることを特徴とする、請求項１に記載の打掛錠。
【請求項３】
前記レバーベースと前記ロックレバーの間に、該ロックレバーが起立した解錠位置から施錠方向に自重により回転すると、その解錠位置から施錠方向に所定角度傾斜した一時停止位置において前記ロックレバーの回転を停止する回転制御手段を備え、
該回転制御手段は、
両側面が径方向内向きに次第に先細なテーパになった可動凸部を外輪部に弾性変位可能に突設し、前記ロックレバーに一体回転可能に装着するアウターリングと、両側面が径方向外向きに次第に先細なテーパになった固定凸部を外周縁に突設して前記可動凸部の回転軌道上に配置し、前記レバーベースに固定するインナープレートとを備え、
前記ロックレバーが起立した解錠位置から施錠方向に自重により回転すると、前記一時停止位置において前記アウターリングの可動凸部の一側側面が前記インナープレートの固定凸部の一側側面に当接して前記ロックレバーの回転を停止する一方、該ロックレバーを、前記可動凸部と前記固定凸部の弾性力に抗して所定の大きさ以上の回転トルクで前記一時停止位置から施錠方向に押し回すと、前記可動凸部と前記固定凸部が互いに弾性変形して前記可動凸部が前記固定凸部の側面を摺動しながら乗り越えて前記アウターリングを一体に回転させてなることを特徴とする、請求項１又は２に記載の打掛錠。
【請求項４】
前記回転制御手段の前記可動凸部を、前記アウターリングの外輪部の軸芯を中心とした点対称の位置の双方に突設すると共に、一対の前記固定凸部も、前記インナープレートの外周縁の軸芯を中心とした点対称の位置の双方に突設し、前記ロックレバーを、起立した解錠位置から施錠方向又は解錠方向に回転すると、それぞれ起立した解錠位置に対して所定角度回転した４つの一時停止位置で、前記アウターリングの可動凸部が前記インナープレートの固定凸部の側面に当接して前記ロックレバーの回転を停止する一方、
解錠時、該ロックレバーを、前記可動凸部と前記固定凸部の弾性力に抗して所定の大きさ以上の回転トルクで前記起立した解錠位置から解錠方向に前記一時停止位置を越えて回転することがあると、前記ロックレバーを一部に係止してそれ以上の回転を規制してなることを特徴とする、請求項３に記載の打掛錠。
【発明の詳細な説明】
【技術分野】
【０００１】
本発明は、トイレ等に備える開き扉、折戸等の回動式扉に使用し、特に、その回動式扉の内側からロックレバーを施錠位置又は解錠位置に回転して回動式扉を施解錠する打掛錠に関する。
【背景技術】
【０００２】
従来、トイレ等に備える回動式扉、例えば外開き式の開き扉に使用する打掛錠は、開き扉の戸先側端部の内側にベース板を固定し、そのベース板にロックレバーを枢軸を中心として回転可能に連結する一方、例えば図１３に示すように、パネル状扉枠１側にロックレバー２を係脱自在に掛け止めるレバー受け３を固定し、使用時は、開き扉４の内側からロックレバー２を回転操作し、レバー受け３に対し係脱して開き扉４を施解錠している（特許文献１参照）。
【先行技術文献】
【特許文献】
【０００３】
【特許文献１】特開２０１０−２４６８８号公報
【発明の概要】
【発明が解決しようとする課題】
【０００４】
ところが、上述のような従来の打掛錠では、レバー受け３を扉枠１に取り付けるには、ロックレバー２の錠杆５が開き扉４と扉枠１を跨いだ施錠姿勢にあるときに錠杆５の先端側が係止する高さ位置において、レバー受け３を扉枠１の扉寄り端部に固着するために、いちいち開き扉４側のロックレバー２に合わせてレバー受け３の高さ位置を調整する作業が必要であり、それだけ余分に設置作業に手間と時間がかかって面倒であるという課題があった。
【課題を解決するための手段】
【０００５】
そこで、請求項１に記載の発明は、たとえば以下に示す図示実施の形態のとおり、回動式扉又は扉枠の内側に固定するレバーベース２０にロックレバー１０を回転自在に連結し、該ロックレバー１０を、扉枠との間を跨いで回動式扉の開閉をロックする施錠位置又は開閉を許す解錠位置に回転し、レバー受けＢに対し係脱して回動式扉を施解錠する打掛錠Ｒにおいて、前記レバー受けＢを、前記ロックレバー１０が施錠位置にあるときに係止する高さ位置において、該ロックレバー１０と一緒に同じ回動式扉又は扉枠に取り付けてなることを特徴とする。
【０００６】
請求項２に記載の発明は、請求項１に記載の打掛錠Ｒにおいて、たとえば以下に示す図示実施の形態のとおり、前記レバー受けＢは、前記レバーベース２０に重ね合わせた位置で一体に又は別体に形成し回動式扉又は扉枠に固定する取付板部６０と、該取付板部６０から突設し前記ロックレバー１０が施錠位置にあるときに係止するレバー係止部６５とからなることを特徴とする。
【０００７】
請求項３に記載の発明は、請求項１又は２に記載の打掛錠Ｒにおいて、たとえば以下に示す図示実施の形態のとおり、前記レバーベース２０と前記ロックレバー１０の間に、該ロックレバー１０が起立した解錠位置から施錠方向に自重により回転すると、その解錠位置から施錠方向に所定角度β傾斜した一時停止位置において前記ロックレバー１０の回転を停止する回転制御手段３０を備え、該回転制御手段３０は、両側面が径方向内向きに次第に先細なテーパになった可動凸部３５・３５を外輪部２６に弾性変位可能に突設し、前記ロックレバー１０に一体回転可能に装着するアウターリング４０と、両側面が径方向外向きに次第に先細なテーパになった固定凸４５・４５部，５５・５５を外周縁５０ｂに突設して前記可動凸部３５・３５の回転軌道上に配置し、前記レバーベース２０に固定するインナープレート５０とを備え、前記ロックレバー１０が起立した解錠位置から施錠方向に自重により回転すると、前記一時停止位置において前記アウターリング４０の可動凸部３５・３５の一側側面が前記インナープレート５０の固定凸部４５・４５，５５・５５の一側側面に当接して前記ロックレバーの回転を停止する一方、該ロックレバー１０を、前記可動凸部３５・３５と前記固定凸部４５・４５，５５・５５の弾性力に抗して所定の大きさ以上の回転トルクで前記一時停止位置から施錠方向に押し回すと、前記可動凸部３５・３５と前記固定凸部４５・４５，５５・５５が互いに弾性変形して前記可動凸部３５・３５が前記固定凸部４５・４５，５５・５５の側面を摺動しながら乗り越えて前記アウターリング４０を一体に回転させてなることを特徴とする。
【０００８】
請求項４に記載の発明は、請求項３に記載の打掛錠Ｒにおいて、たとえば以下に示す図示実施の形態のとおり、前記回転制御手段３０の前記可動凸部３５・３５を、前記アウターリング４０の外輪部２６の軸芯を中心とした点対称の位置の双方に突設すると共に、一対の前記固定凸部４５・４５，５５・５５も、前記インナープレート５０の外周縁５０ｂの軸芯を中心とした点対称の位置の双方に突設し、前記ロックレバー１０を、起立した解錠位置から施錠方向又は解錠方向に回転すると、それぞれ起立した解錠位置に対して所定角度β回転した４つの一時停止位置ｐ・ｑ・ｒ・ｓで、前記アウターリング４０の可動凸部３５・３５が前記インナープレート５０の固定凸部４５・４５，５５・５５の側面に当接して前記ロックレバー１０の回転を停止する一方、解錠時、該ロックレバー１０を、前記可動凸部３５・３５と固定凸部４５・５５の弾性力に抗して所定の大きさ以上の回転トルクで前記起立した解錠位置から解錠方向に前記一時停止位置を越えて回転することがあると、前記ロックレバー１０を一部に係止してそれ以上の回転を規制してなることを特徴とする。
【発明の効果】
【０００９】
請求項１に記載の発明によれば、施錠時にロックレバーの錠杆が係止する高さ位置において、レバー受けを、ロックレバーと一緒に同じ回動式扉又は扉枠の戸先側端部に取り付けるから、いちいち回動式扉又は扉枠側のロックレバーの高さ位置に合わせて、レバー受けを高さ調整しながら取り付ける必要がないために、それだけ設置作業に費やす手間と時間が少なく、簡単に組み付けることができる。
【００１０】
請求項２に記載の発明によれば、レバー受けは、取付板部をレバーベースに重ね合わせて見えないように回動式扉又は扉枠に固定してレバー係止部だけを外部に露出させ、突起等の出っ張りの少ない構造形状をなし、美的外観を良好にすることができる。
【００１１】
請求項３に記載の発明によれば、アウターリングの可動凸部の一側側面がインナープレートの固定凸部の一側側面に当接し、ロックレバーを、錠杆が鉛直に起立した解錠位置から施錠方向へ所定角度傾斜した一時停止位置に保持しているときは、少なくとも回動式扉は解錠状態にあるから、扉枠に強く衝突するように閉めることができる。しかし、ロックレバーを一時停止位置に保持しているときには、可動凸部と固定凸部の弾性力に抗して所定の大きさ以上の回転トルクでロックレバーを施錠方向に押し回し、互いに弾性変位しながら可動凸部が固定凸部を乗り越えない限り、ロックレバーを施錠位置に回転させることができない。従って、ロックレバーを一時停止位置に傾けて位置させる一方、回動式扉を扉枠に強く衝突するように閉めたとしても、そのときの衝撃によっては、ロックレバーが施錠位置側へ回転することはない。その結果、トイレが不使用状態にあるにも拘わらず、いたずら等により回動式扉が閉位置でロックされ、トイレ等を使用できなくなるのを未然に防止することができる。
【００１２】
加えて、請求項４に記載の発明では、左右勝手仕様双方の回動式扉又は扉枠に組み付けて使用できるように、回転制御手段は、可動凸部を、アウターリングの外輪部の軸芯を中心とした点対称の位置の双方に突設すると共に、一対の固定凸部も、インナープレートの外周縁の軸芯を中心とした点対称の位置の双方に突設するから、ロックレバーを、起立した解錠位置から施錠方向又は解錠方向に回転すると、それぞれ起立した解錠位置に対して所定角度回転した４つの一時停止位置で、アウターリングの可動凸部がインナープレートの固定凸部の側面に当接してロックレバーの回転を停止させる構造になっている。そこで、解錠時に、起立した解錠位置にあるロックレバーに対し、仮に何らかの外力が加わって可動凸部と固定凸部の弾性力に抗して所定の大きさ以上の回転トルクでロックレバーが解錠方向に強制回転し、先端部が回動式扉又は扉枠の戸先側端部から出っ張る一時停止位置で停止し、回動式扉の開閉動作の障害になることが考えられる。
【００１３】
しかし、請求項４に記載の発明の打掛錠では、レバー受けを、ロックレバーが施錠位置にあるときにレバー係止部に係止する高さ位置において、ロックレバーと一緒に同じ回動式扉又は扉枠に取り付けるから、解錠時、ロックレバーを、回転制御手段の可動凸部と固定凸部の弾性力に抗して所定の大きさ以上の回転トルクで起立した解錠位置から解錠方向に前記一時停止位置を越えて回転することがあると、ロックレバーを一部に係止してそれ以上の回転を規制し、これにより、ロックレバーの先端部が回動式扉又は扉枠の戸先側端部から出っ張って回動式扉の開閉動作の障害になるのを防止することができる。
【図面の簡単な説明】
【００１４】
【図１】本発明の一例である打掛錠をロックレバーが施錠位置に位置する施錠状態において示す斜視図である。
【図２】同打掛錠を、ロックレバーが一時停止位置に停止した状態において回動扉の外側から視て示す斜視図である。
【図３】同打掛錠を、ロックレバーが一時停止位置に停止した状態において回動扉の内側から視て示す斜視図である。
【図４】同打掛錠をロックレバーが施錠位置に位置する施錠状態において示す横断面図である。
【図５】同打掛錠を示す分解斜視図である。
【図６】同打掛錠を、図５とは向きを変えて錠本体の組立状態で示す取付時の分解斜視図である。
【図７】錠本体の内部構造をロックレバーが鉛直に起立した解錠姿勢の状態において示す縦断面図である。
【図８】ロックレバーを一時停止位置に停止した状態において示す縦断面図である。
【図９】ロックレバーをそれが施錠位置に位置する施錠状態において示す縦断面図である。
【図１０】同打掛錠を、ロックレバーが一時停止位置に停止した状態において開き扉を開けた状態を示す斜視図である。
【図１１】ロックレバーの先端部が扉枠側に出っ張った状態で一時停止位置に停止した打掛錠を示す説明用正面図である。
【図１２】本発明の打掛錠を、ロックレバーの錠杆の後端部をレバー受けに係止して回転規制した状態において示す縦断面図である。
【図１３】従来の打掛錠をロックレバーが施錠位置に位置する施錠状態において示す斜視図である。
【発明を実施するための形態】
【００１５】
以下、図面を参照しつつ、本発明の実施の形態について説明する。
【００１６】
本発明の打掛錠Ｒは、例えばトイレブースに適用し、図１〜図３に示すように、回動式扉の開き扉Ｄに取り付ける錠本体Ａと、レバー受けＢと、表示器Ｃとからなる。図示例において、開き扉Ｄは、各トイレ室の外側から見て右勝手（吊元側の枢軸を中心に図１中矢示する右側に扉を回動して開く方式）で、外開き（トイレ室内から図１中矢示する外側に扉を回動して開く方式）になるように戸先側扉枠Ｆと同じパネル状の戸尻側扉枠（不図示）に軸釣している。
【００１７】
錠本体Ａは、図４および図５に示すように、ロックレバー１０、レバーベース２０および回転制御手段３０を備えてなる。
【００１８】
ロックレバー１０は、金属製、例えば真鍮製の丸棒状錠杆１５と、錠杆１５を保持する錠ケース２５とからなる。錠ケース２５は、樹脂製で、一側を開口した円形のキャップ部２５ａと、キャップ部２５ａの他側に径方向に横断するように突設した摘み部２５ｂと、キャップ部２５ａの底面１３の回転中心から円形開口２１側に立設したジョイント１１とからなる。
【００１９】
錠ケース２５において、キャップ部２５ａは、外周面に摘み部２５ｂと平行に貫通する軸挿通穴１２を設ける一方、底面１３には、回転中心に錠杆１５の深さまで貫通した段付き取付穴１４を穿設すると共に、取付穴１４から放射状に位置決め凹部１３ａを形成してなる。位置決め凹部１３ａは、後述するアウターリング４０のスポーク部２７の連結部分２７ｂ・２７ｃ・２７ｄに合わせて放射状にキャップ部２５ａの底面１３に凹設している。取付穴１４は、環状穴部１４ａと、それより一段細径な雌ねじ穴１４ｂを同軸上に設けてなる。ジョイント１１は、軸芯に矩形な異形穴１６のあいた段付き円筒状の連結突起１７と、ねじ軸１８を同軸上に設ける。連結突起１７は、大径なボス部１７ａとボス部１７ａより一段小径な軸保持部１７ｂからなる。
【００２０】
ロックレバー１０は、この錠ケース２５の軸挿通穴１２に軸部１５ａを貫挿して錠杆１５を摘み部２５ｂと平行に挿着する。一方、キャップ部２５ａには、ねじ軸１８を取付穴１４の雌ねじ穴１４ｂに螺着し、ボス部１７ａを環状穴部１４ａに嵌め込んで連結突起１７を立設してから、連結突起１７の異形穴１６に断面矩形の枢軸１９を差し込んで固定することによりジョイント１１を錠ケース２５の回転中心に突設してなる。
【００２１】
レバーベース２０は、外径を錠ケース２５の円形開口２１に合わせた円板で、中心にジョイント１１のボス部１７ａが嵌合可能な嵌合穴２２をあけたドーナツ板状をなし、嵌合穴２２の内周縁に円周リブ２０ａを突設している。円周リブ２０ａが突出する側の片側板面には、嵌合穴２２の軸線を中心として点対称の位置に、それぞれ軸芯に雌ねじ穴２３ａを螺設した一対のスタッド２３・２３を立設している。更に、レバーベース２０には、図７に示すスタッド２３・２３間を結ぶ水平な対角線ｘに直交する鉛直な対角線ｙで結ばれる点対称の位置に、図５に示すように一対の位置決め穴２４・２４が設けられている。
【００２２】
回転制御手段３０は、いずれも弾性を有する、例えば樹脂製の可動側アウターリング４０と固定側インナープレート５０とで構成されている。
【００２３】
アウターリング４０は、外輪部２６と、外輪部２６の内側に設ける一対のスポーク部２７とからなる。外輪部２６は、軸線を中心とした点対称の位置に一対の直線部２６ａをもった断面略リンゴ型の環状に形成し、直線部２６ａに、それぞれ径方向内向きに突出する可動凸部３５・３５を設けている。可動凸部３５・３５は、それぞれ両側面３５ａ・３５ｂが径方向内向きに次第に先細なテーパになった山形に突設している。しかも、可動凸部３５・３５は、両側面３５ａ・３５ｂを、頂点を中心に左右対称な傾斜面で形成している。スポーク部２７は、外輪部２６の中心周りにジョイント１１のボス部１７ａの外周形状に合わせて、円弧状に形成する挟持部分２７ａと、挟持部分２７ａから径方向外向きに放射状に延びる連結部分２７ｂ・２７ｃ・２７ｄとからなり、そのうちの両端の連結部分２７ｂ・２７ｃの先をＬ形に延ばして外輪部２６の直線部２６ａの両隣りで連設し、これにより、直線部２６ａにある可動凸部３５・３５が、それぞれ外輪部２６の軸線を中心とした点対称の位置で弾性変位可能になっている。
【００２４】
インナープレート５０は、アウターリング４０の外輪部２６内に配置可能な大きさの円板で、中心にジョイント１１のボス部１７ａが嵌合可能な嵌合穴２８をあけた略ドーナツ板状をなすが、片側板面には、嵌合穴２８の軸線を中心とした点対称の位置に一対の円柱状の位置決め突起５０ａ・５０ａが設けられている。外周縁５０ｂには、図７に示すように、位置決め突起５０ａ・５０ａ間を結ぶ鉛直な対角線ｙに対して所定角度α、例えば３０度傾斜した対角線ｍで結ばれる点対称の位置に、一対の固定凸部４５・４５を径方向外向きに突設すると共に、反対側にも同じ所定角度α、例えば３０度傾斜した対角線ｎで結ばれる点対称の位置にも、一対の固定凸部５５・５５を径方向外向きに突設している。
【００２５】
インナープレート５０において、これら固定凸部４５・４５、５５・５５は、外周縁５０ｂにおいて、ロックレバー１０が鉛直に起立した解錠位置に位置するとき、そのロックレバー１０（対角線ｙ）の施錠方向側と解錠方向側の対角線ｍ・ｎで結ばれる前記枢軸１９を中心とした点対称の位置に設けられている。
【００２６】
この点対称の位置にある固定凸部４５・４５、５５・５５は、アウターリング４０の可動凸部３５・３５に対応し、それぞれ両側面４５ａ・４５ｂ、５５ａ・５５ｂが径方向外向きに次第に先細るテーパになった山形に突設し、しかも、両側面４５ａ・４５ｂ、５５ａ・５５ｂを、頂点を中心に左右対称な傾斜面で形成している。このインナープレート５０には、位置決め突起５０ａと固定凸部４５・５５間にそれぞれ肉抜き穴２９を設けて固定凸部４５・５０を外周縁５０ｂに弾性変位可能に形成している。
【００２７】
そこで、回転制御手段３０において、アウターリング４０は、図５に示すように、スポーク部２７の連結部分２７ｂ・２７ｃ・２７ｄを、錠ケース２５の位置決め凹部１３ａに嵌め込み、挟持部分２７ａで連結突起１７のボス部１７ａを挟み付けてジョイント１１に装着し、錠ケース２５内に組み込む。そのとき、アウターリング４０は、スポーク部２７の連結部分２７ｂ・２７ｃ・２７ｄを位置決め凹部１３ａに嵌め合わせてジョイント１１に装着すると、点対称の位置にある可動凸部３５・３５（図７参照）が対角線ｙ上で錠杆１５と一致して錠ケース２５内に組み込まれる。
【００２８】
一方、インナープレート５０は、点対称の位置にある位置決め突起５０ａ・５０ａを、それぞれ図５に示す位置決め穴２４・２４に圧入する。すると、インナープレート５０は、位置決め突起５０ａ・５０ａがアウターリング４０の可動凸部３５・３５と同じように対角線ｙ上で錠杆１５と一致する位置で、レバーベース２０に組み付けられる。
【００２９】
次いで、上述したロックレバー１０のジョイント１１を、順次、これらインナープレート５０とレバーベース２０の嵌合穴２８・２２、樹脂カラー４９、アジャストナット５９の軸受穴５９ａに挿通し、錠ケース２５のキャップ部２５ａをレバーベース２０に冠着する。一方、ジョイント１１のボス部１７ａを樹脂カラー４９を介して円周リブ２０ａに嵌合し、軸保持部１７ｂをアジャストナット５９に嵌着してロックレバー１０をレバーベース２０に組み付け、図６に示すように錠本体Ａを組み立ててなる。
【００３０】
他方、本発明によるレバー受けＢは、図４、図５および図６に示すように、取付板部６０とレバー係止部６５とからなる。取付板部６０は、例えば樹脂製で、外径がレバーベース２０と同じように錠ケース２５の円形開口２１に対応する大きさで、中心にジョイント１１のボス部１７ａが嵌合可能な嵌合穴４２をあけたドーナツ板状の円板部分６０ａと、円板部分６０ａの外周縁から径方向外向きに突設した突片部分６０ｂとからなる。レバー係止部６５は、突片部分６０ｂ上に鉛直に立設した円筒状の取付筒部６５ａと、取付筒部６５ａ内に圧入するビス受け管６７と、一端側開口の円筒形をなすゴムキャップ６８とからなる。
【００３１】
更に、レバー受けＢには、取付板部６０の円板部分６０ａにおいて、嵌合穴４２を間に挟んだ両側にそれぞれ２つずつスタッド挿通穴ａ１・ｂ１、ａ２・ｂ２を、ａ１とａ２、ｂ１とｂ２間にそれぞれゴムキャップ６８の直径に対応する間隔をあけて並設している。しかも、スタッド挿通穴ａ１・ｂ２およびスタッド挿通穴ａ２・ｂ１は、それぞれ嵌合穴４２の軸心を中心とした点対称の位置にあって、スタッド２３・２３間に対応する間隔をあけて設け、左右勝手いずれの仕様の開き扉にも対応してレバー受けＢが取り付けられる構造になっている。
【００３２】
表示器Ｃは、丸座３１と、表示板３２と、表示カバー３３を備える。丸座３１は、中心に嵌合穴３４の開いた円盤状をなし、嵌合穴３４の軸心を中心とした点対称の位置に、呼込みビス３６が挿通する挿通穴３７を穿設してなる。表示板３２は、円板状で、片面中心に枢軸１９と対応する角穴８０を軸芯に有する軸筒部３２ａを突設し、他面に略５０度開いた扇形の表示シール３２ｂを貼り付け、開き扉Ｄの施錠状態を示す扇形の朱色部分と、解錠状態を示す扇形の青色部分に色分けしている。表示カバー３３は、表示窓３８の開いた外周が円形のキャップからなる。
【００３３】
そこで、図示打掛錠Ｒでは、組み立てた錠本体Ａを、開き扉Ｄに取り付けるが、そのとき、図６に示すように、レバー受けＢを間に挟んで同じ戸先側端部に組み付ける。そのとき、スタッド２３・２３を点対称の位置にあるスタッド挿通穴ａ１・ｂ２に挿通してから、開き扉Ｄの戸先側端部に予め穿設した両端の呼込穴６９・７０に挿入すると同時に、中心の呼込穴７１にジョイント１１の枢軸１９を挿入し、錠本体Ａを、開き扉Ｄの内側板面ｄ１に、レバー受けＢの円板部分６０ａ（取付板部６０）を間に挟んで配置する。一方、反対側の外側板面ｄ２に表示器Ｃの丸座３１を配置し、呼込みビス３６を挿通穴３７に通してスタッド２３・２３の雌ねじ穴２３ａにねじ込み、錠本体Ａと、表示器Ｃの丸座３１を開き扉Ｄに固着する。
【００３４】
錠本体Ａが開き扉Ｄに固定されると、レバーベース２０は、スタッド２３・２３が水平方向に横に並んだ位置、即ち、図７に示す対角線ｘ上に並んだ位置に固定される。従って、レバーベース２０に固定したインナープレート５０は、一組の固定凸部４５が、位置決め突起５０ａ・５０ａ間を結ぶ鉛直な対角線ｙに対して所定角度α傾斜した対角線ｍで結ばれる点対称の位置に配置されると共に、他組の固定凸部５５も、対角線ｙに対して図中反時計方向に所定角度α傾斜した対角線ｎで結ばれる点対称の位置に配置された状態で固定される。
【００３５】
このレバーベース２０に対してロックレバー１０は、錠杆１５が起立した解錠姿勢の状態で、枢軸１９を中心として回転自在に組み付けられる。従って、ロックレバー１０に装着したアウターリング４０は、ロックレバー１０と一体に回転自在にレバーベース２０に支持され、可動凸部３５・３５のある外輪部２６が、図４に示すようにインナープレート５０と同一平面上に重なってジョイント１１を中心とする同軸上に配置される。すると、回転制御手段３０では、図７に示すように、錠杆１５が鉛直に起立した解錠姿勢の状態にロックレバー１０があるとき、アウターリング４０の可動凸部３５・３５が周回する回転軌道上にインナープレート５０の固定凸部４５・４５、５５・５５が位置し、その固定凸部４５・５５の間に可動凸部３５・３５が位置する。
【００３６】
そこで、回転制御手段３０は、ロックレバー１０を、錠杆１５が対角線ｙに沿って鉛直に起立した解錠位置から施錠方向に自重により回転すると、図８に示すように、対角線ｙに対して所定角度β、例えば２０度回転したところで、アウターリング４０の可動凸部３５・３５の一側側面３５ａがそれぞれインナープレート５０の固定凸部４５の一側側面４５ａに当接し、ロックレバー１０の回転を停止する構造になっている（以下、このときのロックレバー１０の傾き位置を一時停止位置とする）。
【００３７】
しかも、回転制御手段３０は、図７に示すように、アウターリング４０には、可動凸部３５・３５を外輪部２６の軸線を中心とした点対称の位置に突設すると共に、インナープレート５０には、固定凸部４５・４５、５５・５５を、外周縁５０ｂの軸線（枢軸１９）を中心とした点対称の位置に突設するから、例えば錠本体Ａを開き扉の左右勝手の仕様を誤って組み付けてしまった場合でも、ロックレバー１０を、同じように錠杆１５が対角線ｙに沿って鉛直に起立した解錠位置から施錠方向に回転すると、対角線ｙに対して所定角度β回転したところで、アウターリング４０の可動凸部３５・３５の他側側面３５ｂがそれぞれインナープレート５０の固定凸部５５の一側側面５５ａに当接してロックレバー１０の回転を停止（一時停止）し、反対に、施錠位置から解錠方向に回転しても、対角線ｙに対して所定角度β回転したところで、アウターリング４０の可動凸部３５・３５の他側側面３５ｂがそれぞれインナープレート５０の固定凸部５５の一側側面５５ａに当接してロックレバー１０の回転を停止（一時停止）する構造になっている。
【００３８】
一方、開き扉Ｄの外側板面ｄ２において、図４、図５および図６に示すように、表示器Ｃの丸座３１には、嵌合穴３４に軸筒部３２ａを嵌め込んで表示板３２を冠着し、軸筒部３２ａの角穴８０に枢軸１９を嵌合し、錠本体Ａを、開き扉Ｄを挟んで表示板３２と一体に回転可能に連結する。それから、表示器Ｃは、表示板３２に表示カバー３３を被せる。そして、表示板３２の回転に応じて、表示窓３８から、開き扉Ｄの施錠状態を示す朱色部分又は解錠状態を示す青色部分を臨ませて、トイレの使用状態を外部に表示するようになっている。
【００３９】
他方、開き扉Ｄの内側板面ｄ１には、取付筒部６５ａに止めねじ７５を通してねじ込み、ビス受け管６７を介してレバー受けＢを固定する。それから、取付筒部６５ａにはゴムキャップ６８を被せる。以って、本発明の打掛錠Ｒにおいて、レバー受けＢは、レバーベース２０に取付板部６０の円板部分６０ａを重ね合わせた状態で錠本体Ａに連結し、ロックレバー１０の錠杆１５が水平な施錠姿勢のときにレバー係止部６５のゴムキャップ６８に係止する高さ位置において、開き扉Ｄの戸先側端部の内側板面ｄ１に取り付ける。
【００４０】
従って、本発明の打掛錠Ｒは、そのように施錠時に、ロックレバー１０の錠杆１５が係止する高さ位置において、レバー受けＢを、扉枠Ｆ側ではなく、ロックレバー１０と一緒に同じ開き扉Ｄの戸先側端部に取り付けるから、いちいち開き扉Ｄ側のロックレバー１０の高さ位置に合わせて、レバー受けＢを高さ調整しながら取り付ける必要がないために、それだけ設置作業に費やす手間と時間が少なく、簡単に組み付けることができる。
【００４１】
さて、打掛錠Ｒの使用時、例えば右勝手仕様の開き扉Ｄを回動して閉めると、そのまま開き扉Ｄの内側から、摘み部２５ｂを摘んでロックレバー１０を、図８中矢示する施錠方向に回転させる。例えば、いま錠杆１５が起立姿勢の解錠位置にあるロックレバー１０を施錠方向に回転させると、図２、図３および図８に示すように、回転途中の一時停止位置で、アウターリング４０の可動凸部３５の一側側面３５ａがインナープレート５０の固定凸部４５の一側側面４５ａに、いったん当接するが、そのとき、可動凸部３５と固定凸部４５の弾性力に抗して所定の大きさ以上の回転トルクでロックレバー１０を押し回すと、可動凸部３５と固定凸部４５が互いに弾性変形して可動凸部３５が固定凸部４５上を摺動しながら乗り越えてアウターリング４０を一体に回転させる。従って、ロックレバー１０は、図１および図９に示すように、錠杆１５が水平な横向きの施錠位置に回転し、錠杆１５の、扉枠Ｆとの間を跨いだ先端部１５ａ側を、レバー受けＢのレバー係止部６５に係止して開き扉Ｄを施錠する。
【００４２】
一方、開閉扉Ｄを開けるときは、反対の解錠方向にロックレバー１０を回転し、錠杆１５をレバー受けＢのレバー係止部６５から外して解錠する。ロックレバー１０を解錠方向に回転させると、今度は、回転途中の一時停止位置で、アウターリング４０の可動凸部３５の他側側面３５ｂがインナープレート５０の固定凸部４５の他側側面４５ｂに当接するが、そのとき、同じく可動凸部３５と固定凸部４５の弾性力に抗して所定の大きさ以上の回転トルクでロックレバー１０を押し回すと、可動凸部３５と固定凸部４５が互いに弾性変形して可動凸部３５が固定凸部４５上を摺動しながら乗り越えてアウターリング４０を一体に回転する。そして、ロックレバー１０を、アウターリング４０の可動凸部３５がインナープレート５０の固定凸部４５を乗り越えた位置で、少なくとも一時停止位置より解錠方向に離れた、開き扉Ｄの開閉の邪魔にならない解錠位置に回転させて、図１０に示すように開き扉Ｄを開ける。
【００４３】
ところで、図示打掛錠Ｒでは、図８に示すように、アウターリング４０の可動凸部３５の一側側面３５ａがインナープレート５０の固定凸部４５の一側側面４５ａに当接し、ロックレバー１０を、錠杆１５が鉛直に起立した解錠位置から施錠方向へ所定角度β傾斜した一時停止位置に保持しているときは、錠杆１５がレバー受けＢのレバー係止部６５から外れて解錠状態にあるから、開き扉Ｄを扉枠Ｆに強く衝突させるように閉めることができる。しかし、ロックレバー１０を一時停止位置に保持しているときには、可動凸部３５と固定凸部４５の弾性力に抗して所定の大きさ以上の回転トルクでロックレバー１０を施錠方向に押し回し、互いに弾性変位しながら可動凸部３５が固定凸部４５を乗り越えない限り、ロックレバー１０を施錠位置に回転させることができない。従って、ロックレバー１０を一時停止位置に位置させる一方、開き扉Ｄを扉枠Ｆに強く衝突するように閉めたとしても、そのときの衝撃によってロックレバー１０が施錠位置側へ回転することはない。その結果、トイレが不使用状態にあるにも拘わらず、いたずら等により開き扉Ｄが閉位置でロックされ、トイレ等を使用できなくなるのを未然に防止することができる。
【００４４】
加えて、図示打掛錠Ｒでは、左右勝手仕様双方の開き扉Ｄに組み付けて使用できるように、回転制御手段３０は、図７に示すように、可動凸部３５を、アウターリング４０の外輪部２６の軸芯を中心とした点対称の位置の双方に突設すると共に、一対の固定凸部４５・５５も、インナープレート５０の外周縁５０ｂの軸芯を中心とした点対称の位置の双方に突設するから、図８に示すように、ロックレバー１０を、錠杆１５が対角線ｙに沿って鉛直に起立した解錠位置から施錠方向又は解錠方向に回転すると、それぞれ対角線ｙに対して所定角度β回転した４つの一時停止位置ｐ・ｑ・ｒ・ｓで、アウターリング４０の可動凸部３５・３５がインナープレート５０の固定凸部４５・５５の側面に当接してロックレバー１０の回転を停止させる構造になっている。そこで、解錠時に、錠杆１５が鉛直に起立した解錠位置にあるロックレバー１０に対し、仮に何らかの外力が加わって可動凸部３５と固定凸部４５・５５の弾性力に抗して所定の大きさ以上の回転トルクでロックレバー１０が解錠方向に強制回転し、例えば図１１に示すように、錠杆１５の先端部１５ａが開き扉Ｄの戸先側端部から扉枠Ｆ側に出っ張る一時停止位置ｓで停止し、開き扉Ｄの開閉動作の障害になることが考えられる。
【００４５】
しかし、本発明の打掛錠Ｒでは、レバー受けＢを、ロックレバー１０の錠杆１５が施錠姿勢のときにレバー係止部６５に係止する高さ位置において、開き扉Ｄの戸先側端部の内側板面ｄ１に取り付けるから、解錠時、解錠時、ロックレバー１０を、可動凸部３５・３５と固定凸部４５・５５の弾性力に抗して所定の大きさ以上の回転トルクで起立した解錠位置から解錠方向に一時停止位置を越えて回転することがあると、図１２に示すように、ロックレバー１０の錠杆１５の後端部１５ｂをレバー受けＢのレバー係止部６５に係止してそれ以上の回転を規制し、これにより、錠杆１５の先端部１５ａが開き扉Ｄの戸先側端部から扉枠Ｆ側に出っ張って開き扉Ｄの開閉動作の障害になるのを防止することができる。
【００４６】
以上の実施の形態では、回動式扉が開き扉Ｄである例を示したが、本発明の打掛錠は、開き扉に限らず、折戸など、その他の各種回動式扉を内側から施解錠する場合にも使用することができる。
【００４７】
また、以上の実施の形態では、開き扉Ｄが外開き方式で戸尻側の扉枠に軸釣された構造であるため、打掛錠Ｒの錠本体Ａを、レバー受けＢと一緒に同じ開き扉Ｄに取り付けた例を示した。しかし、本発明は、反対に、開き扉が内開き方式で戸先側扉枠に軸釣された構造である場合には、打掛錠の錠本体を、レバー受けと一緒に同じ戸先側扉枠に取り付けて構成することもできる。
【符号の説明】
【００４８】
Ａ                錠本体
Ｂ                レバー受け
Ｄ                開き扉
Ｆ                扉枠
Ｒ                打掛錠
α                固定凸部の配置角度
β                一時停止位置の角度
ｐ・ｑ・ｒ・ｓ    一時停止位置
１０              ロックレバー
１５              錠杆
１９              枢軸
２０              レバーベース
２３              スタッド
２５              錠ケース
２６              外輪部
３０              回転制御手段
３５              可動凸部
３５ａ・３５ｂ    可動凸部の側面
４０              アウターリング
４５・５５        固定凸部
４５ａ・５５ａ    固定凸部の一側側面
４５ｂ・５５ｂ    固定凸部の他側側面
５０              インナープレート
６０              レバー受けの取付板部
６５              レバー係止部
【図１】
2014181468.tif 000003
【図２】
2014181468.tif 000004
【図３】
2014181468.tif 000005
【図４】
2014181468.tif 000006
【図５】
2014181468.tif 000007
【図６】
2014181468.tif 000008
【図７】
2014181468.tif 000009
【図８】
2014181468.tif 000010
【図９】
2014181468.tif 000011
【図１０】
2014181468.tif 000012
【図１１】
2014181468.tif 000013
【図１２】
2014181468.tif 000014
【図１３】
2014181468.tif 000015
【手続補正書】
【提出日】平成26年7月28日(2014.7.28)
【手続補正１】
【補正対象書類名】特許請求の範囲
【補正対象項目名】全文
【補正方法】変更
【補正の内容】
【特許請求の範囲】
【請求項１】
左右勝手仕様双方の回動式扉又は扉枠の内側に固定するレバーベースにロックレバーを回転自在に連結し、該ロックレバーを、扉枠との間を跨いで回動式扉の開閉をロックする施錠位置又は開閉を許す解錠位置に回転し、レバー受けに対し係脱して回動式扉を施解錠する打掛錠において、
前記レバー受けは、前記ロックレバーが施錠位置にあるときに係止する高さ位置において、該ロックレバーと一緒に同じ回動式扉又は扉枠に取り付ける一方、前記レバーベースと前記ロックレバーの間には、該ロックレバーが起立した解錠位置から施錠方向に自重により回転すると、その解錠位置から施錠方向に所定角度傾斜した一時停止位置において前記ロックレバーの回転を停止する回転制御手段を備え、
該回転制御手段は、
両側面が径方向内向きに次第に先細なテーパになった可動凸部を外輪部に弾性変位可能に突設し、前記ロックレバーに一体回転可能に装着するアウターリングと、両側面が径方向外向きに次第に先細なテーパになった固定凸部を外周縁に突設して前記可動凸部の回転軌道上に配置し、前記レバーベースに固定するインナープレートとを備え、
前記ロックレバーが起立した解錠位置から施錠方向に自重により回転すると、前記一時停止位置において前記アウターリングの可動凸部の一側側面が前記インナープレートの固定凸部の一側側面に当接して前記ロックレバーの回転を停止する一方、該ロックレバーを、前記可動凸部と前記固定凸部の弾性力に抗して所定の大きさ以上の回転トルクで前記一時停止位置から施錠方向に押し回すと、前記可動凸部と前記固定凸部が互いに弾性変形して前記可動凸部が前記固定凸部の側面を摺動しながら乗り越えて前記アウターリングを一体に回転させてなり、前記可動凸部を、前記アウターリングの外輪部の軸芯を中心とした点対称の位置の双方に突設すると共に、一対の前記固定凸部も、前記インナープレートの外周縁の軸芯を中心とした点対称の位置の双方に突設し、前記ロックレバーを、起立した解錠位置から施錠方向又は解錠方向に回転すると、それぞれ起立した解錠位置に対して所定角度回転した４つの一時停止位置で、前記アウターリングの可動凸部が前記インナープレートの固定凸部の側面に当接して前記ロックレバーの回転を停止する一方、
解錠時、該ロックレバーを、前記可動凸部と前記固定凸部の弾性力に抗して所定の大きさ以上の回転トルクで前記起立した解錠位置から解錠方向に前記一時停止位置を越えて回転することがあると、前記ロックレバーの後端部に係止して回転を規制してなることを特徴とする、打掛錠。
【手続補正２】
【補正対象書類名】明細書
【補正対象項目名】０００５
【補正方法】変更
【補正の内容】
【０００５】
そこで、請求項１に記載の発明は、たとえば以下に示す図示実施の形態のとおり、左右勝手仕様双方の回動式扉又は扉枠の内側に固定するレバーベース２０にロックレバー１０を回転自在に連結し、該ロックレバー１０を、扉枠との間を跨いで回動式扉の開閉をロックする施錠位置又は開閉を許す解錠位置に回転し、レバー受けＢに対し係脱して回動式扉を施解錠する打掛錠Ｒにおいて、前記レバー受けＢは、前記ロックレバー１０が施錠位置にあるときに係止する高さ位置において、該ロックレバー１０と一緒に同じ回動式扉又は扉枠に取り付ける一方、前記レバーベース２０と前記ロックレバー１０の間には、該ロックレバー１０が起立した解錠位置から施錠方向に自重により回転すると、その解錠位置から施錠方向に所定角度β傾斜した一時停止位置において前記ロックレバー１０の回転を停止する回転制御手段３０を備え、該回転制御手段３０は、両側面が径方向内向きに次第に先細なテーパになった可動凸部３５・３５を外輪部２６に弾性変位可能に突設し、前記ロックレバー１０に一体回転可能に装着するアウターリング４０と、両側面が径方向外向きに次第に先細なテーパになった固定凸部４５・４５、５５・５５を外周縁５０ｂに突設して前記可動凸部３５・３５の回転軌道上に配置し、前記レバーベース２０に固定するインナープレート５０とを備え、前記ロックレバー１０が起立した解錠位置から施錠方向に自重により回転すると、前記一時停止位置において前記アウターリング４０の可動凸部３５・３５の一側側面が前記インナープレート５０の固定凸部４５・４５，５５・５５の一側側面に当接して前記ロックレバー１０の回転を停止する一方、該ロックレバー１０を、前記可動凸部３５・３５と前記固定凸部４５・４５、５５・５５の弾性力に抗して所定の大きさ以上の回転トルクで前記一時停止位置から施錠方向に押し回すと、前記可動凸部３５・３５と前記固定凸部４５・４５，５５・５５が互いに弾性変形して前記可動凸部３５・３５が前記固定凸部４５・４５，５５・５５の側面を摺動しながら乗り越えて前記アウターリング４０を一体に回転させてなり、前記可動凸部３５・３５を、前記アウターリング４０の外輪部２６の軸芯を中心とした点対称の位置の双方に突設すると共に、一対の前記固定凸部４５・４５，５５・５５も、前記インナープレート５０の外周縁５０ｂの軸芯を中心とした点対称の位置の双方に突設し、前記ロックレバー１０を、起立した解錠位置から施錠方向又は解錠方向に回転すると、それぞれ起立した解錠位置に対して所定角度β回転した４つの一時停止位置ｐ・ｑ・ｒ・ｓで、前記アウターリング４０の可動凸部３５・３５が前記インナープレート５０の固定凸部４５・４５，５５・５５の側面に当接して前記ロックレバー１０の回転を停止する一方、解錠時、該ロックレバー１０を、前記可動凸部３５・３５と前記固定凸部４５・５５の弾性力に抗して所定の大きさ以上の回転トルクで前記起立した解錠位置から解錠方向に前記一時停止位置を越えて回転することがあると、前記ロックレバー１０の後端部に係止して回転を規制してなることを特徴とする、打掛錠。
【手続補正３】
【補正対象書類名】明細書
【補正対象項目名】０００６
【補正方法】削除
【補正の内容】
【手続補正４】
【補正対象書類名】明細書
【補正対象項目名】０００７
【補正方法】削除
【補正の内容】
【手続補正５】
【補正対象書類名】明細書
【補正対象項目名】０００８
【補正方法】削除
【補正の内容】
【手続補正６】
【補正対象書類名】明細書
【補正対象項目名】００１０
【補正方法】削除
【補正の内容】
【手続補正７】
【補正対象書類名】明細書
【補正対象項目名】００１１
【補正方法】変更
【補正の内容】
【００１１】
請求項１に記載の発明によれば、アウターリングの可動凸部の一側側面がインナープレートの固定凸部の一側側面に当接し、ロックレバーを、錠杆が鉛直に起立した解錠位置から施錠方向へ所定角度傾斜した一時停止位置に保持しているときは、少なくとも回動式扉は解錠状態にあるから、扉枠に強く衝突するように閉めることができる。しかし、ロックレバーを一時停止位置に保持しているときには、可動凸部と固定凸部の弾性力に抗して所定の大きさ以上の回転トルクでロックレバーを施錠方向に押し回し、互いに弾性変位しながら可動凸部が固定凸部を乗り越えない限り、ロックレバーを施錠位置に回転させることができない。従って、ロックレバーを一時停止位置に傾けて位置させる一方、回動式扉を扉枠に強く衝突するように閉めたとしても、そのときの衝撃によっては、ロックレバーが施錠位置側へ回転することはない。その結果、トイレが不使用状態にあるにも拘わらず、いたずら等により回動式扉が閉位置でロックされ、トイレ等を使用できなくなるのを未然に防止することができる。
【手続補正８】
【補正対象書類名】明細書
【補正対象項目名】００１２
【補正方法】変更
【補正の内容】
【００１２】
加えて、請求項１に記載の発明では、左右勝手仕様双方の回動式扉又は扉枠に組み付けて使用できるように、回転制御手段は、可動凸部を、アウターリングの外輪部の軸芯を中心とした点対称の位置の双方に突設すると共に、一対の固定凸部も、インナープレートの外周縁の軸芯を中心とした点対称の位置の双方に突設するから、ロックレバーを、起立した解錠位置から施錠方向又は解錠方向に回転すると、それぞれ起立した解錠位置に対して所定角度回転した４つの一時停止位置で、アウターリングの可動凸部がインナープレートの固定凸部の側面に当接してロックレバーの回転を停止させる構造になっている。そこで、解錠時に、起立した解錠位置にあるロックレバーに対し、仮に何らかの外力が加わって可動凸部と固定凸部の弾性力に抗して所定の大きさ以上の回転トルクでロックレバーが解錠方向に強制回転し、先端部が回動式扉又は扉枠の戸先側端部から出っ張る一時停止位置で停止し、回動式扉の開閉動作の障害になることが考えられる。
【手続補正９】
【補正対象書類名】明細書
【補正対象項目名】００４５
【補正方法】変更
【補正の内容】
【００４５】
しかし、本発明の打掛錠Ｒでは、レバー受けＢを、ロックレバー１０の錠杆１５が施錠姿勢のときにレバー係止部６５に係止する高さ位置において、開き扉Ｄの戸先側端部の内側板面ｄ１に取り付けるから、解錠時、ロックレバー１０を、可動凸部３５・３５と固定凸部４５・５５の弾性力に抗して所定の大きさ以上の回転トルクで起立した解錠位置から解錠方向に一時停止位置を越えて回転することがあると、図１２に示すように、ロックレバー１０の錠杆１５の後端部１５ｂをレバー受けＢのレバー係止部６５に係止してそれ以上の回転を規制し、これにより、錠杆１５の先端部１５ａが開き扉Ｄの戸先側端部から扉枠Ｆ側に出っ張って開き扉Ｄの開閉動作の障害になるのを防止することができる。